(57)【要約】【課題】  小型軽量化されたハンディー型ビデオカメラ装置において、重量バランスの調整とカメラの操作性が良好なハンディー型ビデオカメラ装置を提供することを目的とするものである。【解決手段】  ショルダーパッド１３とビューファインダ１４とグリップ１８とを備えるハンディー型ビデオカメラ装置であり、ビデオカメラ装置がカメラ本体１０と脚部フレーム１２とを光軸方向に摺動自在に設け、脚部フレーム１２にショルダーパッド１３が設けられるとともに、脚部フレーム１２にアーム部１７が固定され、且つアーム部１７にビューファインダ１４とグリップ１８とが固定され、カメラ本体１０と脚部フレーム１２とを摺動させることにより、カメラ本体１０に対してアーム部１７に固定されたビューファインダ１４とグリップ１８と脚部フレーム１２とを光軸方向に一体に移動可能とするアーム部１７を有している。【選択図】  図１
2006128847.tif 000002
【特許請求の範囲】
【請求項１】
ショルダーパッドとビューファインダと操作部を設けたグリップとを備えるハンディー型ビデオカメラ装置において、
前記ビデオカメラ装置がカメラ本体と脚部フレームとを光軸方向に摺動自在に設け、該脚部フレームに前記ショルダーパッドが設けられるとともに、該脚部フレームにアーム部が固定され、且つ該アーム部に前記ビューファインダと前記グリップとが固定され、前記カメラ本体と前記脚部フレームとを光軸方向に摺動させることにより、前記アーム部に固定した前記ビューファインダと前記グリップと前記ショルダーパッドとを前記カメラ本体に対して一体に移動可能とすることを特徴とするハンディー型ビデオカメラ装置。
【請求項２】
前記ビューファインダと前記グリップとの少なくとも一方が、前記アーム部に光軸方向に摺動自在に取り付けられていることを特徴とする請求項１に記載のハンディー型ビデオカメラ装置。
【発明の詳細な説明】
【技術分野】
【０００１】
本発明は、小型軽量化されたハンディー型ビデオカメラ装置に関し、重量バランスの調整とカメラの操作性が良好なハンディー型ビデオカメラ装置に関するものである。
【背景技術】
【０００２】
放送業務用のハンディー型ビデオカメラ装置では、撮影者が肩に担いで使用する機器であり、小型軽量化が操作性や機動性を評価する上で重要な項目となっている。ビデオカメラ装置のカメラ本体の小型軽量化が進む一方、撮像レンズは高倍率や広角レンズなど高機能化が要求され、カメラ本体部分の軽量化に対して撮像レンズの重量の比重比率が増し、本体部分に撮像レンズを装着した場合、カメラ装置としての重心が撮像レンズ側に偏る傾向があり、撮影者がビデオカメラ装置を担いだ際のバランスが極めて悪く、操作性や安定感に問題が生じている。
【０００３】
従来のビデオカメラ装置には、図４（ａ），（ｂ）に示したように、ビデオカメラ装置のカメラ本体１に撮像レンズ２が装填され、カメラ本体１上部に把持部６が設けられ、カメラ本体１に設けられたビューファインダ３とショルダーパッド４とを光軸方向（矢印で示す方向）に移動調整可能にしたものがあり、例えば図４（ｂ）では、脚部フレーム７にショルダーパッド４を固定し、カメラ本体１に対して脚部フレーム７を前後に摺動させる摺動機構を備えるものがある。さらに、撮像レンズ２に取り付けたグリップ５を光軸方向に移動可能にしたものがある（例えば、特許文献１参照）。
【０００４】
【特許文献１】特開平３−１２４１７３号（明細書２頁右下の欄６行から３頁左上の欄１行〜１９行、図面図２，図８）
【発明の開示】
【発明が解決しようとする課題】
【０００５】
従来のビデオカメラ装置では、カメラ本体に対してショルダーパッドや脚部フレームを前後にスライドさせて、ビデオカメラ装置の重心位置を調整可能にするとともに、カメラ本体に設けられたビューファインダを前後に移動可能にしている。グリップは撮像レンズに固定され、グリップ位置を調整可能にしているが、グリップが撮像レンズに固定されており、カメラ本体を移動させるとグリップ位置が眼前に迫り、操作性が悪いといった欠点があるし、個々に調整しなければならない欠点があり、また、グリップ等の調整可能な範囲に限界があり、カメラマンの体格によっては窮屈な撮影姿勢となる欠点があった。
【０００６】
また、ビデオカメラ装置が小型化され、調整限界まで調整したとしても重心位置が撮像レンズ側に偏ることがあり、例えば高倍率のズームレンズを装填したような場合では、図５にビデオカメラ装置を図示したように、撮像レンズ２を装填したカメラ本体１の背後に重り８を装着してバランスを取って撮影することがあり、カメラを軽量化したにもかかわらず、カメラ全体の重量が増し、小型化及び軽量化の利点が相殺される欠点があり、結果的に撮影者に負担を掛ける欠点があった。
【０００７】
本発明は、上述のような課題に鑑みなされたものであり、小型軽量化されたハンディー型ビデオカメラ装置において、重量バランスの調整とカメラの操作性が良好なハンディー型ビデオカメラ装置を提供することを目的とするものである。
【課題を解決するための手段】
【０００８】
本発明は上記課題を達成するためになされたものであり、請求項１の発明は、ショルダーパッドとビューファインダと操作部を設けたグリップとを備えるハンディー型ビデオカメラ装置において、
前記ビデオカメラ装置がカメラ本体と脚部フレームとを光軸方向に摺動自在に設け、該脚部フレームに前記ショルダーパッドが設けられるとともに、該脚部フレームにアーム部が固定され、且つ該アーム部に前記ビューファインダと前記グリップとが固定され、前記カメラ本体と前記脚部フレームとを摺動させることにより、前記カメラ本体に対して前記アーム部に固定した前記ビューファインダと前記グリップと前記ショルダーパッドとを光軸方向に一体に移動可能とする前記アーム部を有することを特徴とするハンディー型ビデオカメラ装置である。
【０００９】
また、請求項２の発明は、前記ビューファインダと前記グリップとの少なくとも一方が、前記アーム部に光軸方向に摺動自在に取り付けられていることを特徴とする請求項１に記載のハンディー型ビデオカメラ装置である。
【発明の効果】
【００１０】
本発明は、以下のような効果を有する。
請求項１の発明では、ショルダーパッドとビューファインダと操作部を設けたグリップとを備えるハンディー型ビデオカメラ装置において、前記ビデオカメラ装置がカメラ本体と脚部フレームとを光軸方向に摺動自在に設け、該脚部フレームに前記ショルダーパッドが設けられるとともに、該脚部フレームにアーム部が固定され、且つ該アーム部に前記ビューファインダと前記グリップとが固定され、前記カメラ本体と前記脚部フレームとを光軸方向に摺動させることにより、前記アーム部に固定した前記ビューファインダと前記グリップと前記ショルダーパッドとを前記カメラ本体に対して一体に移動可能とすることを特徴とするハンディー型ビデオカメラ装置であるので、脚部フレームをカメラ本体から摺動させることによって、アーム部に固定した脚部フレーム（ショルダーパッド）とビューファインダとグリップとを、同時に同一方向（光軸方向）に移動させることが可能であり、脚部フレームとカメラ本体との摺動により、撮像レンズを装填したカメラ本体の重心位置を光軸方向に移動させることが可能であり、撮影者はカメラ装置の重心位置を調整し、安定した重心位置でビデオカメラ装置を担いで撮影することができ、撮影者の体格に合わせた撮影姿勢を容易に調整することができる利点がある。
【００１１】
また、請求項２の発明では、前記ビューファインダと前記グリップとの少なくとも一方が、前記アーム部に光軸方向に摺動自在に取り付けられていることを特徴とする請求項１に記載のハンディー型ビデオカメラ装置であるので、脚部フレームとカメラ本体との摺動によるビデオカメラ装置の重心位置の調整に加えて、カメラ本体に対してビューファインダとグリップとの位置を調整することが可能であり、撮影者の体格や撮影姿勢に容易に合わせることが可能である。また、予め撮影者の体格に合わせてビューファインダ及びグリップの位置を固定して、アーム部或いはカメラ本体を移動させることによって、ビューファインダ及びグリップの位置を同時に最良の位置に容易に調整することが可能である。
また、ビューファインダは、カメラ本体に設けた案内部に光軸方向に摺動可能に設けられ、且つアーム部に光軸方向に摺動自在であるので、ショルダーパッドとグリップとともに、ビューファインダを光軸方向に一体に摺動させることが可能である利点がある。
【発明を実施するための最良の形態】
【００１２】
以下、本発明に係るハンディー型ビデオカメラ装置の実施の形態について、図面を参照して説明する。なお、図１（ａ）は、本発明の一実施形態を示す斜視図であり、同図（ｂ）はその側面図であり、図２（ａ），（ｂ）は本実施形態の摺動機構の一例を示す斜視図とその要部断面図である。図３は本実施形態の使用形態を示す図である。図１から図３を通して同一部分には同一符号が付与されている。
【００１３】
本実施形態のハンディー型ビデオカメラ装置は、図１に示すように、カメラ本体１０に撮像レンズ１１が装填され、カメラ本体１０の底部には脚部フレーム１２が、後述する摺動機構により摺動自在に設けられ、脚部フレーム１１の底部にショルダーパッド１３が装着され、カメラ本体１０の前方上部に案内部１５が設けられ、案内部１５に摺動可能にビューファインダ１４が設けられ、カメラ本体１０の上部中央に把持部１６が設けられている。脚部フレーム１２にはアーム部１７が固定されている。アーム部１７は略Ｌ形状の腕状部材であり、このＬ形状の腕状部材が上部突出部１７ａと光軸方向突出部１７ｂとから構成され、上部突出部１７ａにビューファインダ１４が固定され、光軸方向突出部１７ｂにグリップ１８が固定されている。グリップ１８には録画スイッチやズームスイッチ１８ａ等の操作部と、手を掛けてビデオカメラ装置を支持する支持ベルト１８ｂとが設けられ、これらスイッチがケーブル１８ｃを介して撮像レンズ１１の駆動機構及び録画制御部等の制御部に接続されている。
【００１４】
アーム部１７の上部突出部１７ａにはビューファインダ１４を光軸方向に調整可能な調整機構１９が設けられている。この調整機構１９の最も簡単な構造としては光軸方向に開口する長孔１９ａを設け、長孔１９ａを貫通するネジ１９ｂをビューファインダ１４に螺合して、所定の位置でネジ１９ｂを緊縮してビューファインダ１４をアーム部１７に固定する構造である。また、グリップ１８についても、ビューファインダ１４と同様に光軸方向に摺動して位置の調整が可能な調整機構を設けてもよい（図示なし）。さらに調整機構１９及びグリップ１８の調整機構には、レバーを設けて所定位置で係止するロック機構を備えてもよい。
【００１５】
次に、カメラ本体１０の底部１０ａには脚部フレーム１２が設けられ、カメラ本体１０と脚部フレーム１２とが摺動機構により光軸方向に摺動可能に設けられている。摺動機構は、図２（ａ），（ｂ）に示したように、カメラ本体１０の底部１０ａに光軸方向に開口された長孔１０ｂが前後に二箇所設けられ、摺動溝１０ｃが光軸方向に二列平行に設けられ、脚部フレーム１２には、摺動溝１０ｃに対向する部分に凸条部１２ａが設けられ、摺動溝１０ｃと凸条部１２ａとが摺動可能に嵌合し、脚部フレーム１２の底面１２ｂに丸穴を設けてネジ２０を挿通し、かつカメラ本体１０の底部１０ａに設けた長孔１０ｂに挿通し、ネジ２０をボルト２１に螺合させて緊縮し、所定の摺動位置でカメラ本体１０と脚部フレーム１２とを固定する。この摺動機構はこの実施形態に限定することなく、種々の形態が実施可能である。また、カメラ本体１０と脚部フレーム１２との固定方法は、例えば、カメラ本体１０と脚部フレーム１２との摺動を拘束するレバーを設けるようにしてもよい。
【００１６】
次に、図３（ａ），（ｂ）を参照して本実施形態の使用形態について説明する。図３（ａ）は、撮影者がビデオカメラ装置を肩に担いで撮影する状態を示している。図３（ａ）において、例えば、脚部フレーム１２に対しカメラ本体１０を摺動させない状態、すなわち図示とは異なり、カメラ本体１０が撮影者の前側に移動した状態で撮影したとすると、撮像レンズ１１が撮影者の前方に突出した状態となり、ビデオカメラ装置の重心位置が撮影者の右手の位置近傍となり、右手で支え続けなければならないことになり、撮影者はビデオカメラ装置を肩に担いで長時間撮影するのが困難になる。しかし、図３（ａ）に示したように、本実施形態のビデオカメラ装置では、カメラ本体１０を、アーム部１７に固定した脚部フレーム１２とビューファインダ１４とグリップ１８とに対して光軸方向後方に摺動させてカメラ本体１０を後方に移動させることにより、ビデオカメラ装置の重心を撮影者の肩の位置近傍に移動させることができる。ビデオカメラ装置の重心を、ショルダーパッド１３の中心方向に移動させることによって、ビデオカメラ装置を担いだ際にビデオカメラ装置の安定性が良くなる。撮影者はビデオカメラ装置を肩に担ぎ、右手でビデオカメラ装置の前方のグリップ１８で支えながら長時間の撮影を可能にすることができる。
【００１７】
また、図３（ｂ）に示したように、ビデオカメラ装置を三脚２０に固定して使用する場合、ビデオカメラ装置の脚部フレーム１２の底部を三脚２０の雲台装着部に固定し、カメラ本体１０を後方に摺動させることによって、ビデオカメラ装置の重心位置が三脚２０の略中心近傍に設定することが可能であり、ビデオカメラ装置を三脚２０に固定した際の安定性が良くなる利点がある。なお、ビデオカメラ装置の重心位置は、カメラ本体１０に装着される撮像レンズ１１の種類や形態によって異なるが、これらの形態に応じてビデオカメラ装置の重心位置を移動させることができる。
【００１８】
また、本実施形態において、グリップ１８を光軸方向突出部１７ｂに光軸方向に調整可能に設けてもよいし、ビューファインダ１４とグリップ１８との両方に調整機構を設けてもよい。このような形態とすることによって、撮影者の体格や個性的な撮影姿勢に合わせてビューファインダ１４及びグリップ１８の位置を任意に調整することが可能である。
【００１９】
また、本実施形態では、ビューファインダ１４が、カメラ本体１０に設けた案内部１５に光軸方向に摺動自在に設けられており、アーム部１７は、ビューファインダ１４の案内部１５と、アーム部１７の摺動機構とによって、カメラ本体１０と脚部フレーム１２とが光軸方向に安定した摺動が可能である。ただし、案内部１５は補助的なものであり、アーム部１７が十分な剛性を有している場合は、省略しても構わない。
【００２０】
上記のように、本実施形態は、カメラ本体と脚部フレームとを摺動させた際に、図２（ａ），（ｂ）に示したように、アーム部に固定した脚部フレーム（ショルダーパッド）とビューファインダとグリップとを同時に同一方向（光軸方向）に移動させることが可能であり、脚部フレームとカメラ本体との摺動による調整距離に加えて、カメラ本体とビューファインダとの距離が調整可能であり、また、カメラ本体とグリップとの位置を調整することも可能であり、カメラ装置の重心位置を撮影者の体格に合わせて容易に調整することができ、最適な撮影姿勢で撮影が可能である。また、予め撮影者の体格に合わせてビューファインダ及びグリップの位置を固定すれば、アーム部或いはカメラ本体を摺動させることによって、容易に最良の重心位置及び体格に合わせた調整が可能である。
【００２１】
また、本実施形態では、ビューファインダ及びグリップを光軸方向に摺動させて調整して撮影者の体格や撮影姿勢に合わせて、ビューファインダ或いはグリップの位置調整を行った後、ビューファインダ及びグリップに個々に設けたロック機構備、例えばレバーを操作して摺動を拘束する機構が設けられている。
【００２２】
また、本実施形態では、ビューファインダが、カメラ本体に設けた案内部に光軸方向に摺動可能であり、且つアーム部が光軸方向に摺動自在に取り付けられ、カメラ本体の側面と上部とで、カメラ本体とアーム部との光軸方向の摺動を安定させているが、この実施形態に限定することなく、案内部を設けることなく、アーム部に剛性を与え、アーム部の摺動によりビューファインダの光軸のずれが発生しない摺動構造とすることもできる。
【００２３】
なお、ビューファインダの案内部及び調整機構は種々の機構があり、本実施形態に限定するものではない。また、本実施形態では、アーム部がネジにより脚部フレームに固定されている図が示されているが、アーム部が脚部フレームと一体構造であってもよいし、脚部フレームの摺動面と一体構造であってもよい。
【００２４】
また、上記実施形態において、カメラ本体と脚部フレームとが摺動するとともに、脚部フレームに対してショルダーパッドが光軸方向前方に移動可能にしてもよい。カメラ本体と脚部フレームとを摺動させて調整を行った後、さらに、カメラ本体を後方に移動させることが可能であり、撮影者の体格に合わせて任意に調整することが可能である。
【産業上の利用可能性】
【００２５】
本発明の活用例としては、ハンディー型ビデオカメラ装置に好適であるとともに、ハンディー型ビデオカメラ装置或いはテレビカメラ装置等を三脚に装着して撮影する場合、三脚に装着したカメラ装置が安定する位置に重心位置を移動させる手段とし、脚部フレームにアーム部を固定し、アーム部にビューファインダと操作部を備えるグリップとを固定して、カメラ本体を摺動させて重心位置を容易に移動させることが可能であり、カメラ本体と同時にビューファインダの位置の調整が可能である。
【図面の簡単な説明】
【００２６】
【図１】（ａ）は、本発明の一実施形態を示す斜視図であり、同図（ｂ）はその側面図である。
【図２】（ａ）は本実施形態の摺動機構の一例を示す斜視図であり、（ｂ）はその要部断面図である。
【図３】（ａ）は本実施形態のビデオカメラ装置の使用状態を示すとともに撮影姿勢を示す側面図であり、（ｂ）は三脚に装着した側面図である。
【図４】（ａ），（ｂ）は従来のビデオカメラ装置の調整機構を示す概略側面図である。
【図５】従来のビデオカメラ装置の使用状態の概略側面図である。
【符号の説明】
【００２７】
１０  カメラ本体
１０ａ  底部
１０ｂ  長孔
１０ｃ  凸条部
１１  撮像レンズ
１２  脚部フレーム
１３  ショルダーパッド
１４  ビューファインダ
１５  案内部
１６  把持部
１７  アーム部
１７ａ  上部突出部
１７ｂ  光軸方向突出部
１８  グリップ
１８ａ  録画スイッチやズームスイッチ
１８ｂ  支持ベルト
１８ｃ  ケーブル
１９  調整機構
２０  三脚
【図１】
2006128847.tif 000003
【図２】
2006128847.tif 000004
【図３】
2006128847.tif 000005
【図４】
2006128847.tif 000006
【図５】
2006128847.tif 000007